(57)【特許請求の範囲】
【請求項１】
通信システムにおいてサービングセルおよび隣接セルから受信される信号間の位相オフセットを報告する方法であって、
前記隣接セルのチャネル品質インジケータ（ＣＱＩ）を測定するステップと、
第１の隣接セルの前記ＣＱＩが第２の隣接セルの前記ＣＱＩよりも大幅に高い場合、前記第１の隣接セルの前記位相オフセットを、前記第２の隣接セルの前記位相オフセットよりも多くのビットを用いて量子化し、前記量子化された位相オフセットを送信ポイントに報告するステップと、
前記第１の隣接セルの前記ＣＱＩと前記第２の隣接セルの前記ＣＱＩとが互いに近い場合、前記第１の隣接セルの前記位相オフセットと前記第２の隣接セルの前記位相オフセットとを、同数のビットを用いて量子化し、前記位相オフセットのコンスタレーションを、別のビットを使用して示し、前記量子化された位相オフセットと前記コンスタレーションとを前記送信ポイントに報告するステップと、
を有する方法。
【請求項２】
２つの位相オフセットを３ビットによって報告するステップをさらに有し、
一方の隣接セルの前記位相オフセットが２ビットによって［１  ｊ  −１  −ｊ］に量子化され、他方の隣接セルの前記位相オフセットが１ビットによって［１  −１］または［ｊ  −ｊ］に量子化される、
請求項１に記載の方法。
【請求項３】
２つの位相オフセットを３ビットによって報告するステップをさらに有し、
前記位相オフセットの両方が［１  −１］または［ｊ  −ｊ］のいずれかに量子化され、
前記位相オフセットそれぞれが１ビットを使用し、前記コンスタレーション［１  −１］または［ｊ  −ｊ］を選択するために第３のビットが使用される、
請求項１に記載の方法。
【請求項４】
２つの位相オフセットを３ビットによって報告するステップをさらに有し、
一方の位相オフセットが１ビットによって［１  −１］に量子化され、他方の位相オフセットが１ビットによって［ｊ  −ｊ］に量子化され、
どちらの位相オフセットが［１  −１］に量子化されているかを判定できるように第３のビットが使用される、
請求項１に記載の方法。
【請求項５】
通信システムにおいてサービングセルおよび隣接セルから受信される信号間の位相オフセットを報告するユーザ機器であって、
前記隣接セルのチャネル品質インジケータ（ＣＱＩ）を測定する測定部と、
第１の隣接セルの前記ＣＱＩが第２の隣接セルの前記ＣＱＩよりも大幅に高い場合、前記第１の隣接セルの前記位相オフセットを、前記第２の隣接セルの前記位相オフセットよりも多くのビットを用いて量子化する量子化部と、
前記量子化された位相オフセットを送信ポイントに報告する報告部と、
を備え、
前記量子化部は、前記第１の隣接セルの前記ＣＱＩと前記第２の隣接セルの前記ＣＱＩとが互いに近い場合、前記第１の隣接セルの前記位相オフセットと前記第２の隣接セルの前記位相オフセットとを、同数のビットを使用して量子化し、前記位相オフセットのコンスタレーションを、別のビットを使用して示し、
前記報告部は、前記量子化された位相オフセットと前記コンスタレーションとを前記送信ポイントに報告する、
ユーザ機器。
【請求項６】
送信ポイント装置であって、
ユーザ機器から報告される情報を受信し、前記情報が、前記送信ポイント装置および隣接する送信ポイント装置から送信された信号間の位相オフセットを含んでおり、第１の隣接する送信ポイント装置のＣＱＩが第２の隣接する送信ポイント装置のＣＱＩよりも大幅に高い場合、前記第１の隣接する送信ポイント装置の前記位相オフセットが、前記第２の隣接する送信ポイント装置の前記位相オフセットよりも、多くのビットを用いて量子化されている、受信部と、
前記量子化された位相オフセットを用いて、前記ユーザ機器に送信される信号をプリコーディングするプリコーディング部と、
を備え、
前記第１の隣接する送信ポイント装置のＣＱＩと前記第２の隣接する送信ポイント装置のＣＱＩとが互いに近い場合、前記第１の隣接する送信ポイント装置の前記位相オフセットと前記第２の隣接する送信ポイント装置の前記位相オフセットとが、同数のビットを用いて量子化されており、前記位相オフセットのコンスタレーションが、別のビットを使用して示されており、
前記プリコーディング部は、前記量子化された位相オフセットおよび前記コンスタレーションを用いて、前記ユーザ機器に送信される信号をプリコーディングする、
送信ポイント装置。
【発明の詳細な説明】
【技術分野】
【０００１】
本開示は、ＭＩＭＯ（Multi-Input Multi-Output）、ビームフォーミング、フィードバック、送信ポイント協力（Transmission point Cooperation）、協調マルチポイント送信（ＣｏＭＰ：Coordinated Multiple Point transmission）技術などの技術分野に関する。
【背景技術】
【０００２】
複数の送信ポイントが互いに協力することは、セルラシステムにおいてセル間干渉を軽減するための重要な手段であり、第４世代の無線通信システムの標準化において集中的に議論されている。送信ポイント協力の１つの送信方法は、ジョイント送信（joint transmission）であり、ユーザ機器（ＵＥ）は複数の送信ポイントからデータ信号を受信する。
【０００３】
図１は、２つの送信ポイントによるジョイント送信の動作を示した図である。
【０００４】
図１に示すように、ＵＥ＃Ａは、ノード（送信ポイント）＃１およびノード＃２からの信号を同時に受信し、ＵＥ＃Ｂも、ノード＃１およびノード＃２からの信号を同時に受信する。ノード＃１およびノード＃２は、データおよびスケジューリング情報をバックホールを通じて共有している。
【０００５】
ジョイント送信をサポートするためには、ＵＥは、各送信ポイントからのチャネルを測定した後、それらのチャネルを報告する必要がある（すなわち、各送信ポイントに対応するプリコーディング行列インデックス（ＰＭＩ）／チャネル品質インジケータ（ＣＱＩ）／ランクインジケータ（ＲＩ））。さらに、各送信ポイントからの信号がＵＥにおいて（互いに打ち消されずに）コヒーレントに合成されるようにするために、ＵＥは、２つのＰＭＩの間の位相オフセット（共位相係数（co-phasing factor））も報告する。送信ポイントは、送信されるデータ信号に位相オフセットを適用することで、ＵＥにおいて受信される信号電力を強めることができる。一般的に、位相オフセットは送信ポイントにフィードバックされる前に量子化される。例えば、位相オフセットは［１  −１］または［１  ｊ  −１  −ｊ］に量子化される。
【０００６】
さらに、特定のセルラ環境（例えば干渉が制限された環境）においては、ＵＥは、３つ以上の送信ポイント（例：３つの送信ポイント）からの信号を受信することができる。
【０００７】
図２（ａ）および図２（ｂ）は、複数の位相オフセットの報告を示した図であり、図２（ａ）はホモジニアス配置（homogeneous deployment）の状況を示しており、図２（ｂ）はヘテロジニアス配置（heterogeneous deployment）の状況を示している。
【０００８】
図２（ａ）に示したように、ＵＥは３つの送信ポイント（セル）からの信号を受信する。この場合、２つの位相オフセットが必要であり、１つは、サービングセルと隣接セル１との間の位相オフセットΦ１に対応し、もう１つは、サービングセルと隣接セル２との間の位相オフセットΦ２に対応する。
【０００９】
ＵＥが複数の位相オフセットを報告するとき、複数の送信ポイントからの利得を合成する信号が、量子化に起因して打ち消されることがある。例えば、類似する値を持つ２つの位相オフセットが、全く異なる値に量子化されることがある。
【００１０】
図３は、類似する値を持つ２つの位相オフセットが全く全く異なる値に量子化される例を示している。
【００１１】
図３に示すように、位相オフセットΦ１およびΦ２のいずれもπ／２に近く、これらは類似する値を有し、利得を合成する対応する信号は高いはずである。しかしながら、量子化が［１  −１］である場合（例えばΦ１が「１」に量子化され、Φ２が「−１」に量子化される場合）、Φ１とΦ２が符号の異なる値「１」および「−１」に量子化されるため、複数の送信ポイントからの利得を合成する信号は０となる。
【００１２】
図４は、類似する値を持つ２つの位相オフセットが全く異なる値に量子化される例を示している。
【００１３】
図４に示すように、位相オフセットΦ１およびΦ２は位相０に近く、これらは類似する値を有し、利得を合成する対応する信号は高いはずである。しかしながら、量子化が［ｊ  −ｊ］である場合（例えばΦ１が「ｊ」に量子化され、Φ２が「−ｊ」に量子化される場合）、Φ１とΦ２とが符号の異なる値「ｊ」および「−ｊ」に量子化されるため、複数の送信ポイントからの利得を合成する信号は０となる。
【００１４】
送信ポイントが下りリンク送信において位相オフセットを適用するとき、２つの隣接セルからの信号が、このような量子化に起因して互いに打ち消されることがある。
【発明の概要】
【発明が解決しようとする課題】
【００１５】
本開示の目的は、オーバーヘッドの増大を最小限にしつつ、このような打ち消しの問題を解決することである。
【課題を解決するための手段】
【００１６】
本開示の一態様においては、通信システムにおいてサービングセルおよび隣接セルから受信される信号間の位相オフセットを報告する方法であって、所定の数のビットを用いて、位相オフセットを量子化するステップと、位相オフセットのコンスタレーションを、別のビットを使用して示すステップと、量子化された位相オフセットとコンスタレーション（constellation）とを送信ポイントに報告するステップと、を有する方法、を提供する。
【００１７】
本開示の別の態様においては、通信システムにおいてサービングセルおよび隣接セルから受信される信号間の位相オフセットを報告する方法であって、隣接セルのチャネル品質インジケータ（ＣＱＩ）を測定するステップと、第１の隣接セルのＣＱＩが第２の隣接セルのＣＱＩよりも大幅に高い場合、第１の隣接セルの位相オフセットを、第２の隣接セルの位相オフセットよりも多くのビットを用いて量子化し、量子化された位相オフセットを送信ポイントに報告するステップと、第１の隣接セルのＣＱＩと第２の隣接セルのＣＱＩとが近い場合、第１の隣接セルの位相オフセットと第２の隣接セルの位相オフセットとを、同数のビットを用いて量子化し、位相オフセットのコンスタレーションを、別のビットを使用して示し、量子化された位相オフセットとコンスタレーションとを送信ポイントに報告するステップと、を有する方法、を提供する。
【００１８】
本開示のさらなる態様においては、通信システムにおいてサービングセルおよび隣接セルから受信される信号間の位相オフセットを報告するユーザ機器であって、所定の数のビットを用いて、位相オフセットを量子化し、位相オフセットのコンスタレーションを、別のビットを使用して示す量子化部と、量子化された位相オフセットとコンスタレーションとを送信ポイントに報告する報告部と、を備えているユーザ機器、を提供する。
【００１９】
本開示のさらなる別の態様においては、通信システムにおいてサービングセルおよび隣接セルから受信される信号間の位相オフセットを報告するユーザ機器であって、隣接セルのチャネル品質インジケータ（ＣＱＩ）を測定する測定部と、第１の隣接セルのＣＱＩが第２の隣接セルのＣＱＩよりも大幅に高い場合、第１の隣接セルの位相オフセットを、第２の隣接セルの位相オフセットよりも多くのビットを用いて量子化する量子化部と、量子化された位相オフセットを送信ポイントに報告する報告部と、を備え、量子化部は、第１の隣接セルのＣＱＩと第２の隣接セルのＣＱＩとが近い場合、第１の隣接セルの位相オフセットと第２の隣接セルの位相オフセットとを、同数のビットを用いて量子化し、位相オフセットのコンスタレーションを、別のビットを使用して示し、報告部が、量子化された位相オフセットとコンスタレーションとを送信ポイントに報告する、ユーザ機器を提供する。
【００２０】
本開示のさらなる別の態様においては、送信ポイント装置であって、ユーザ機器から報告される情報を受信し、情報が、その送信ポイント装置および隣接する送信ポイント装置から送信された信号の間の位相オフセットと、位相オフセットのコンスタレーションとを含んでおり、位相オフセットが、所定数のビットを用いて量子化されており、コンスタレーションが、別のビットによって示されている、受信部と、量子化された位相オフセットおよびコンスタレーションを用いて、ユーザ機器に送信される信号をプリコーディングするプリコーディング部と、を備える送信ポイント装置、を提供する。
【００２１】
本開示のさらなる別の態様においては、送信ポイント装置であって、ユーザ機器から報告される情報を受信し、情報が、その送信ポイント装置および隣接する送信ポイント装置から送信された信号の間の位相オフセットを含んでおり、第１の隣接する送信ポイント装置のＣＱＩが第２の隣接する送信ポイント装置のＣＱＩよりも大幅に高い場合、第１の隣接する送信ポイント装置の位相オフセットが、第２の隣接する送信ポイント装置の位相オフセットよりも、多くのビットを用いて量子化されている、受信部と、量子化された位相オフセットを用いて、ユーザ機器に送信される信号をプリコーディングするプリコーディング部と、を備え、第１の隣接する送信ポイント装置のＣＱＩと第２の隣接する送信ポイント装置のＣＱＩとが互いに近い場合、第１の隣接する送信ポイント装置の位相オフセットと第２の隣接する送信ポイント装置の位相オフセットとが、同数のビットを用いて量子化されており、位相オフセットのコンスタレーションが、別のビットを使用して示されており、プリコーディング部が、量子化された位相オフセットおよびコンスタレーションを用いて、ユーザ機器に送信される信号をプリコーディングする、送信ポイント装置を提供する。
【００２２】
本開示では、オーバーヘッドの増大を最小限にしつつ又は大幅に増大させることなく、複数の送信ポイントからの利得を合成する信号を改善することができる。
【００２３】
上記は本開示の要約であり、したがって当然ながら、細部の単純化、一般化、および省略が含まれている。したがって、当業者には、上記の要約が説明を目的としているにすぎず、本開示を多少なりとも制限することを意図していないことが理解されるであろう。本明細書に記載されている装置、プロセス、その他の主題の別の態様、特徴、および利点は、以下に説明する教示内容から明らかになるであろう。上記の要約は、本開示の発想のうち重要な部分を簡略的に紹介することを目的としており、本開示の発想については、発明を実施するための形態のセクションでさらに説明する。上記の要約は、特許請求の範囲に記載された主題の重要な特徴または本質的な特徴を特定することを目的とするものではなく、特許請求の範囲に記載された主題の範囲を判断する目的で使用されるものでもない。
【００２４】
本開示の上記およびその他の特徴は、以下の説明および添付の特許請求の範囲を添付の図面を参照しながら検討することによって、さらに完全に明らかになるであろう。これらの図面は、本開示によるいくつかの実施の形態のみを描いており、したがって本開示の範囲を制限するものとはみなされないことを理解されたい。以下では、添付の図面を使用しながら、本開示についてさらに具体的かつ詳細に説明する。
【図面の簡単な説明】
【００２５】
【図１】２つの送信ポイントによるジョイント送信の動作を示す図
【図２】複数の位相オフセットの報告を示した図であり、このうち図２（ａ）はホモジニアス配置の状況を示しており、図２（ｂ）はヘテロジニアス配置の状況を示している。
【図３】類似する値を持つ２つの位相オフセットが全く異なる値に量子化される例を示す図
【図４】類似する値を持つ２つの位相オフセットが全く異なる値に量子化される別の例を示す図
【図５】それぞれ異なる量子化において、利得を合成する信号が互いに打ち消されるのみならず、互いに強め合う状況を示す図
【図６】本開示の実施の形態１によるユーザ機器の構成を示す図
【図７】位相オフセットの量子化およびコンスタレーションを示す表
【図８】類似する値を持つ２つの位相オフセットが、互いに強め合うように量子化される例を示す図
【図９】位相オフセットの量子化およびコンスタレーションを示す別の表
【図１０】位相オフセットの量子化およびコンスタレーションを示す別の表
【図１１】異なる値を持つ２つの位相オフセットが、互いに強め合うように量子化される例を示す図
【図１２】位相オフセットの量子化およびコンスタレーションを示す別の表
【図１３】本開示の実施の形態１１によるユーザ機器の構成を示す図
【図１４】位相オフセットの量子化を示す表
【図１５】本開示の実施の形態１４による、通信システムにおいてサービングセルおよび隣接セルから受信される信号の間の位相オフセットを報告する方法のフロー図を示す図
【図１６】本開示の実施の形態１５による、通信システムにおいてサービングセルおよび隣接セルから受信される信号の間の位相オフセットを報告する方法のフロー図を示す別の図
【図１７】本開示の実施の形態１６による送信ポイント装置の構成を示す図
【発明を実施するための形態】
【００２６】
以下の詳細な説明においては、添付の図面を参照し、これらの図面は本明細書の一部を形成している。図面においては、特に明記しない限り、一般には類似する記号は類似する要素を表している。以下の詳細な説明、図面、および特許請求の範囲に記載されている例示的な実施形態は、本開示を制限するものではない。本明細書に提示されている主題の概念または範囲から逸脱することなく、別の実施形態を使用することができ、別の変更を行うことができる。なお、本明細書に一般的に説明されており図に図解されている本開示の態様は、さまざまな異なる構造に配置する、置き換える、組み合わせる、設計することができ、そのような態様すべては明示的に意図されたものであり、本開示の一部を形成することが、容易に理解されるであろう。
【００２７】
背景技術で述べたように、送信ポイントが下りリンク送信において位相オフセットを適用する場合、２つの隣接セルからの信号が量子化に起因して互いに打ち消されることがある。この問題を解決する目的で、１つの容易な解決策は、両方の位相オフセットの量子化の粒度を高めることである。しかし、フィードバックのオーバーヘッドが増大する。もう１つの容易な解決策は、一方の位相オフセットについてのみ量子化の粒度を高めることであり、例えば、Φ１を［１  −１］に量子化し、Φ２を［１  ｊ  −１  −ｊ］に量子化する。しかしながら、状況によっては満足のいくパフォーマンスが得られない。その理由として、両方／すべての位相オフセットに対してではなく、１つの位相オフセットに対してのみ、増大したビット幅が有効であるためである。したがって、複数の位相オフセットにバランス良くビット割当（例：１ビット）を行うことのできる方法が好ましい。
【００２８】
さらに調べてみると、量子化の異なるコンスタレーションにおいて、位相オフセットの異なる値において打ち消しの問題が生じる。例えば、量子化［１  −１］の場合、図３に示したように、Φ２およびΦ１の両方が位相π／２付近であるとき、利得を合成する信号が打ち消される。一方、量子化［ｊ  −ｊ］の場合、図４に示したように、Φ２およびΦ１の両方が位相０付近であるとき、利得を合成する信号が打ち消される。
【００２９】
さらに、利得を合成する信号は、異なるな量子化に対するΦ２およびΦ１の異なる値において打ち消されるのみならず、異なる量子化の場合に互いに強め合う（complement）。
【００３０】
図５（ａ）および図５（ｂ）は、異なる量子化において、利得を合成する信号が打ち消されるのみならず、互いに強め合う状況を示している。
【００３１】
図５（ａ）は、量子化［１  −１］の状況を示している。図５（ａ）では、水平方向が位相オフセットΦ１を示し、垂直方向が位相オフセットΦ２を示すものとする。Φ２およびΦ１がπ／２付近であるとき、利得を合成する信号は互いに打ち消される（明るい色で示す）。図５（ｂ）は、量子化［ｊ  −ｊ］の状況を示している。図５（ｂ）でも、水平方向がΦ１を示し、垂直方向がΦ２を示すものとする。Φ２およびΦ１がπ／２付近であるとき、利得を合成する信号は互いに強め合う（暗い色で示す）。
【００３２】
これらの結果から認識されるように、位相オフセットの値に基づいて量子化を切り替えることによって、打ち消しの問題を解決することができる。したがって、量子化は固定されないため、量子化が送信ポイントに通知される必要がある。したがって、量子化のコンスタレーションの情報は、複数の位相オフセットにビットを割り当てるための有効な方法と考えることができる。
【００３３】
（実施の形態１）
本開示の実施の形態１によると、通信システムは、複数のセル（送信ポイント）と複数のユーザ機器とを備えている。セルとしては、ユーザ機器にサービスを提供するサービングセルと、サービングセルの隣接セルとが含まれる。ユーザ機器と通信する送信ポイントは、サービングセルまたは隣接セルと考えることができる。
【００３４】
図６は、本開示の実施の形態１によるユーザ機器の構成を示した図である。
【００３５】
図６に示したように、通信システムにおいてサービングセルおよび隣接セルから受信した信号間の位相オフセットを報告するユーザ機器６００は、量子化部６０１と報告部６０２とを有する。量子化部６０１は、所定の数のビットを用いて位相オフセットを量子化し、位相オフセットのコンスタレーションを、別のビットを使用して示し、報告部６０２は、量子化された位相オフセットとコンスタレーションとを送信ポイントに報告する。
【００３６】
本開示の実施の形態１によるユーザ機器６００は、関連するプログラムを実行して様々なデータを処理し、ユーザ機器６００の各構成部の動作を制御するＣＰＵ（Central Processing Unit）６１０と、ＣＰＵ６１０が様々なプロセスおよび制御を実行するうえで要求される様々なプログラムを格納するＲＯＭ（Read Only Memory）６１３と、プロセスおよび制御の手順の中でＣＰＵ６１０によって一時的に生成される中間データを格納するＲＡＭ（Random Access Memory）６１５と、様々なデータをユーザ機器６００の外側の外部装置との間で入力／出力するＩ／Ｏ部６１７、のうちの１つ又は複数、をさらに含む。上記の量子化部６０１、報告部６０２、ＣＰＵ６１０、ＲＯＭ６１３、ＲＡＭ６１５、および／又は、Ｉ／Ｏ部６１７は、データ／コマンドバス６２０を介して相互に接続されるそれぞれのポートを有し、互いの間でデータ（信号）を伝送する。
【００３７】
上記各構成部は、本開示の範囲を制限するものではない。本開示の一実施形態によると、上記量子化部６０１および報告部６０２のうちの任意の機能を、上記ＣＰＵ６１０、ＲＯＭ６１３、ＲＡＭ６１５、および／又は、Ｉ／Ｏ部６１７などと組み合わせて、機能的なソフトウェアによって実施することもできる。
【００３８】
実施の形態２では、オーバーヘッドの増大を最小限にしつつ、複数の送信ポイントからの利得を合成する信号を改善することができる。
【００３９】
以下では、ユーザ機器６００の各構成部の動作について、図面を参照しながら詳しく説明する。
【００４０】
（実施の形態２）
本開示の実施の形態２によると、ユーザ機器６００は、２つの位相オフセットを３ビットによって報告し、位相オフセットの両方が［１  −１］または［ｊ  −ｊ］のいずれかに量子化され、位相オフセットそれぞれが１ビットを使用し、コンスタレーション［１  −１］または［ｊ  −ｊ］を示すために第３のビットが使用される。
【００４１】
図７は、位相オフセットの量子化およびコンスタレーションを示した表である。
【００４２】
図７に示すように、水平方向が位相オフセットΦ１を示し、垂直方向が位相オフセットΦ２を示すものとする。実施の形態２においては、位相オフセットΦ１，Φ２の両方が［１  −１］または［ｊ  −ｊ］のいずれかに量子化され、位相オフセットそれぞれが１ビットを使用する。すなわち、Φ１が１個のビットによって［１  −１］に量子化される場合、図７において記号「×」によって示すように、Φ２も１個のビットによって［１  −１］に量子化される。同様に、Φ１が１個のビットによって［ｊ  −ｊ］に量子化される場合、図７において記号「○」によって示したように、Φ２も１個のビットによって［ｊ  −ｊ］に量子化される。
【００４３】
第３のビットは、コンスタレーション［１  −１］または［ｊ  −ｊ］を選択するために使用される。すなわち、利得を合成する信号としてより良好な信号が得られるかに応じて、両方の位相オフセットに対して量子化［１  −１］と量子化［ｊ  −ｊ］のどちらの量子化が使用されているかを判定できるようにするために、第３のビットが使用される。
【００４４】
図８（ａ）および図８（ｂ）は、類似する値を持つ２つの位相オフセットが、互いに強め合うように量子化される異なる例を示している。
【００４５】
図８（ａ）に示すように、位相オフセットΦ１およびΦ２の両方がπ／２に近く、これらの位相オフセットは類似する値を有する。図３に示した量子化［１  −１］の代わりに、ここでは量子化［ｊ  −ｊ］が使用されることを示すように第３のビットが設定される。この場合、位相オフセットΦ１が「ｊ」に量子化され、位相オフセットΦ２も「ｊ」に量子化される。位相オフセットΦ１，Φ２の両方が同じ値「ｊ」に量子化されるため、２つの送信ポイントからの利得を合成する信号は「２ｊ」となる。
【００４６】
図８（ｂ）に示すように、位相オフセットΦ１およびΦ２の両方が位相０に近く、これらの位相オフセットは類似する値を有する。図４に示した量子化［ｊ  −ｊ］の代わりに、ここでは量子化［１  −１］が使用されることを示すように第３のビットが設定される。この場合、位相オフセットΦ１が「１」に量子化され、位相オフセットΦ２も「１」に量子化される。位相オフセットΦ１，Φ２の両方が同じ値「１」に量子化されるため、２つの送信ポイントからの利得を合成する信号は「２」となる。
【００４７】
したがって、実施の形態２においては、２つの位相オフセットをフィードバックするために合計で３ビットが使用され、このうち１個のビットは第１の位相オフセットを量子化するために使用され、別のビットが第２の位相オフセットを量子化するために使用され、第３のビットが量子化のコンスタレーション［１  −１］または［ｊ  −ｊ］を示すために使用される。これにより、実施の形態２では、オーバーヘッドの増大を最小限にしつつ、複数の送信ポイントからの利得を合成する信号が改善される。
【００４８】
（実施の形態３）
本開示の実施の形態３によると、ユーザ機器６００は、２つの位相オフセットを５ビットによって報告し、位相オフセットの両方が［１  ｊ  −１  −ｊ］または［１  ｊ  −１  −ｊ］＊（１＋ｊ）／√２のいずれかに量子化され、位相オフセットそれぞれが２ビットを使用し、コンスタレーション［１  ｊ  −１  −ｊ］または［１  ｊ  −１  −ｊ］＊（１＋ｊ）／√２を選択するために第５のビットが使用される。
【００４９】
図９は、位相オフセットの量子化およびコンスタレーションを示した別の表である。
【００５０】
図９に示すように、水平方向が位相オフセットΦ１を示し、垂直方向が位相オフセットΦ２を示すものと想定する。実施の形態３においては、位相オフセットΦ１，Φ２の両方が［１  ｊ  −１  −ｊ］または［１  ｊ  −１  −ｊ］＊（１＋ｊ）／√２のいずれかに量子化され、位相オフセットそれぞれが２ビットを使用する。すなわち、Φ１が２個のビットによって［１  ｊ  −１  −ｊ］に量子化され、Φ２も２個のビットによって［１  ｊ  −１  −ｊ］に量子化される場合は、図９において記号「×」によって示される。同様に、Φ１が２個のビットによって［１  ｊ  −１  −ｊ］＊（１＋ｊ）／√２に量子化され、Φ２も２個のビットによって［１  ｊ  −１  −ｊ］＊（１＋ｊ）／√２に量子化される場合は、図９において記号「○」によって示される。
【００５１】
第５のビットは、コンスタレーション［１  ｊ  −１  −ｊ］または［１  ｊ  −１  −ｊ］＊（１＋ｊ）／√２を選択するために使用される。すなわち、利得を合成する信号としてより良好な信号が得られるかに応じて、両方の位相オフセットに対して量子化［１  ｊ  −１  −ｊ］と量子化［１  ｊ  −１  −ｊ］＊（１＋ｊ）／√２のどちらの量子化が使用されているかを判定できるようにするために、第５のビットが使用される。
【００５２】
実施の形態３においては、２つの位相オフセットをフィードバックするために合計で５ビットが使用され、このうち２個のビットは第１の位相オフセットを量子化するために使用され、別の２個のビットが第２の位相オフセットを量子化するために使用され、量子化のコンスタレーション［１  ｊ  −１  −ｊ］および［１  ｊ  −１  −ｊ］＊（１＋ｊ）／√２を選択するために第５のビットが使用される。これにより、実施の形態３では、オーバーヘッドを大幅に増大させることなく、複数の送信ポイントからの利得を合成する信号が大幅に改善される。
【００５３】
（実施の形態４）
本開示の実施の形態４によると、ユーザ機器６００は、３つの位相オフセットを４ビットによって報告し、３つの位相オフセットすべてが［１  −１］または［ｊ  −ｊ］のいずれかに量子化され、位相オフセットそれぞれが１ビットを使用し、コンスタレーション［１  −１］または［ｊ  −ｊ］を選択するために第４のビットが使用される。
【００５４】
具体的には、３つの位相オフセットは、それぞれΦ１、Φ２およびΦ３とする。実施の形態４においては、３つの位相オフセットΦ１、Φ２およびΦ３のすべてが［１  −１］または［ｊ  −ｊ］のいずれかに量子化され、位相オフセットそれぞれが１ビットを使用する。すなわち、Φ１が１個のビットによって［１  −１］に量子化される場合、Φ２が１個のビットによって［１  −１］に量子化され、Φ３も１個のビットによって［１  −１］に量子化される。これに対して、Φ１が１個のビットによって［ｊ  −ｊ］に量子化される場合、Φ２が１個のビットによって［ｊ  −ｊ］に量子化され、Φ３も１個のビットによって［ｊ  −ｊ］に量子化される。
【００５５】
第３のビットは、コンスタレーション［１  −１］または［ｊ  −ｊ］を選択するために使用される。すなわち、利得を合成する信号としてより良好な信号が得られるかに応じて、３つの位相オフセットに対して量子化［１  −１］と量子化［ｊ  −ｊ］のどちらの量子化が使用されているかを判定できるようにするために、第３のビットが使用される。実施の形態４の具体的な動作は、実施の形態２の具体的な動作に似ており、ここでは詳しく示さない。
【００５６】
したがって、実施の形態４においては、３つの位相オフセットをフィードバックするために合計で４ビットが使用され、このうち１ビットは第１の位相オフセットを量子化するために使用され、別のビットが第２の位相オフセットを量子化するために使用され、第３のビットが第３の位相オフセットを量子化するために使用され、量子化のコンスタレーション［１  −１］および［ｊ  −ｊ］を選択するために第４のビットが使用される。これにより、実施の形態４では、オーバーヘッドの増大を最小限にしつつ、複数の送信ポイントからの利得を合成する信号が改善される。
【００５７】
（実施の形態５）
本開示の実施の形態５によると、ユーザ機器６００は、３つの位相オフセットを７ビットによって報告し、３つの位相オフセットすべてが［１  ｊ  −１  −ｊ］または［１  ｊ  −１  −ｊ］＊（１＋ｊ）／√２のいずれかに量子化され、位相オフセットそれぞれが２ビットを使用し、コンスタレーション［１  ｊ  −１  −ｊ］または［１  ｊ  −１  −ｊ］＊（１＋ｊ）／√２を選択するために第７のビットが使用される。
【００５８】
具体的には、３つの位相オフセットは、それぞれΦ１、Φ２およびΦ３とする。実施の形態５においては、３つの位相オフセットΦ１、Φ２およびΦ３のすべてが［１  ｊ  −１  −ｊ］または［１  ｊ  −１  −ｊ］＊（１＋ｊ）／√２のいずれかに量子化され、位相オフセットそれぞれが２ビットを使用する。すなわち、Φ１が２個のビットによって［１  ｊ  −１  −ｊ］に量子化される場合、Φ２が２個のビットによって［１  ｊ  −１  −ｊ］に量子化され、Φ３も２個のビットによって［１  ｊ  −１  −ｊ］に量子化される。これに対して、Φ１が２個のビットによって［１  ｊ  −１  −ｊ］＊（１＋ｊ）／√２に量子化される場合、Φ２が２個のビットによって［１  ｊ  −１  −ｊ］＊（１＋ｊ）／√２に量子化され、Φ３も２個のビットによって［１  ｊ  −１  −ｊ］＊（１＋ｊ）／√２に量子化される。
【００５９】
第７のビットは、コンスタレーション［１  ｊ  −１  −ｊ］または［１  ｊ  −１  −ｊ］＊（１＋ｊ）／√２を選択するために使用される。すなわち、利得を合成する信号としてより良好な信号が得られるか応じて、３つの位相オフセットに対して量子化［１  ｊ  −１  −ｊ］と［１  ｊ  −１  −ｊ］＊（１＋ｊ）／√２のどちらの量子化が使用されているかを判定できるようにするために、第７のビットが使用される。実施の形態５の具体的な動作は、実施の形態３の具体的な動作に似ており、ここでは詳しく示さない。
【００６０】
したがって、実施の形態５においては、３つの位相オフセットをフィードバックするために合計で７ビットが使用され、このうち２ビットは第１の位相オフセットを量子化するために使用され、別の２ビットが第２の位相オフセットを量子化するために使用され、さらなる２ビットが第３の位相オフセットを量子化するために使用され、量子化のコンスタレーション［１  ｊ  −１  −ｊ］および［１  ｊ  −１  −ｊ］＊（１＋ｊ）／√２を選択するために第７のビットが使用される。これにより、実施の形態５では、オーバーヘッドを大幅に増大させることなく、複数の送信ポイントからの利得を合成する信号が大幅に改善される。
【００６１】
（実施の形態６）
本開示の実施の形態６によると、ユーザ機器６００は、２つの位相オフセットを３ビットによって報告し、一方の位相オフセットが１ビットによって［１  −１］に量子化され、他方の位相オフセットが１ビットによって［ｊ  −ｊ］に量子化され、どちらの位相オフセットが［１  −１］に量子化されているかを判定できるように第３のビットが使用される。
【００６２】
図１０は、位相オフセットの量子化およびコンスタレーションを示した別の表である。
【００６３】
図１０に示すように、水平方向が位相オフセットΦ１を示し、垂直方向が位相オフセットΦ２を示すものとする。実施の形態６においては、一方の位相オフセット（例えばΦ１）が１ビットによって［１  −１］に量子化される場合、図１０において記号「×」によって示すように、他方の位相オフセット（例えばΦ２）が１ビットによって［ｊ  −ｊ］に量子化される。これに対して、一方の位相オフセット（例えばΦ２）が１ビットによって［１  −１］に量子化される場合、図１０において記号「○」によって示すように、他方の位相オフセット（例えばΦ１）が１ビットによって［ｊ  −ｊ］に量子化される。
【００６４】
第３のビットは、どちらの位相オフセットが［１  −１］に量子化されているかを判定できるようにするために使用される。すなわち、利得を合成する信号としてより良好な信号が得られるか応じて、量子化［１  −１］と量子化［ｊ  −ｊ］のどちらの量子化が、どちらの位相オフセットに使用されているかを判定できるようにするために、第３のビットが使用される。
【００６５】
図１１は、異なる値を持つ２つの位相オフセットが、互いに強め合うように量子化される例を示している。
【００６６】
図１１に示すように、一方の位相オフセット（例えばΦ１）がπ／２に近く、他方の位相オフセット（例えばΦ２）が位相０に近いものとする。この場合、本開示の実施の形態２によると、量子化［１  −１］が採用される場合、位相オフセットΦ１が「−１」に量子化され、位相オフセットΦ２が「１」に量子化される。量子化［ｊ  −ｊ］が採用される場合、位相オフセットΦ１が「ｊ」に量子化され、位相オフセットΦ２が「−ｊ」に量子化される。したがって、このような量子化では、利得を合成する信号の打ち消し問題につながる。しかしながら、本開示の実施の形態６によると、位相オフセットΦ１が量子化［ｊ  −ｊ］を採用し、位相オフセットΦ２が量子化［１  −１］を採用していることを示すように、第３のビットが設定される。この場合、位相オフセットΦ１が「ｊ」に量子化され、位相オフセットΦ２が「１」に量子化され、２つの送信ポイントからの利得を合成する信号は、「（１＋ｊ）√２」である。
【００６７】
異なる値を持つ２つの位相オフセットの例は上記以外にも存在するが、本明細書ではこれ以上詳しく説明しない。
【００６８】
したがって、実施の形態６においては、２つの位相オフセットをフィードバックするために合計で３ビットが使用され、この実施形態でも、オーバーヘッドの増大を最小限にしつつ、複数の送信ポイントからの利得を合成する信号を改善することができる。
【００６９】
（実施の形態７）
本開示の実施の形態７によると、ユーザ機器６００は、２つの位相オフセットを５ビットによって報告し、一方の位相オフセットが２ビットによって［１  ｊ  −１  −ｊ］に量子化され、他方の位相オフセットが２ビットによって［１  ｊ  −１  −ｊ］＊（１＋ｊ）／√２に量子化され、どちらの位相オフセットが［１  ｊ  −１  −ｊ］に量子化されているかを判定できるように第５のビットが使用される。
【００７０】
図１２は、位相オフセットの量子化およびコンスタレーションを示した別の表である。
【００７１】
図１２に示すように、水平方向が位相オフセットΦ１を示し、垂直方向が位相オフセットΦ２を示すものとする。実施の形態７においては、一方の位相オフセット（例えばΦ１）が２ビットによって［１  ｊ  −１  −ｊ］に量子化される場合、図１２において記号「×」によって示すように、他方の位相オフセット（例えばΦ２）が２ビットによって［１  ｊ  −１  −ｊ］＊（１＋ｊ）／√２に量子化される。これに対して、一方の位相オフセット（例えばΦ２）が２ビットによって［１  ｊ  −１  −ｊ］に量子化される場合、図１２において記号「○」によって示すように、他方の位相オフセット（例えばΦ１）が２ビットによって［１  ｊ  −１  −ｊ］＊（１＋ｊ）／√２に量子化される。
【００７２】
第５のビットは、どちらの位相オフセットが［１  ｊ  −１  −ｊ］に量子化されているかを判定できるようにするために使用される。すなわち、利得を合成する信号としてより良好な信号が得られるか応じて、量子化［１  ｊ  −１  −ｊ］と量子化［１  ｊ  −１  −ｊ］＊（１＋ｊ）／√２のどちらの量子化が、どちらの位相オフセットに用いられているか判定できるようにするために、第５のビットが使用される。
【００７３】
この実施形態は、実際には、実施の形態３と実施の形態６の組合せであり、したがって簡潔さを目的として、ここではこれ以上詳しく説明しない。
【００７４】
実施の形態７においては、２つの位相オフセットをフィードバックするために合計で５ビットが使用され、このうち２ビットは第１の位相オフセットを量子化するために使用され、別の２ビットが第２の位相オフセットを量子化するために使用され、第５のビットが、量子化のコンスタレーション［１  ｊ  −１  −ｊ］および［１  ｊ  −１  −ｊ］＊（１＋ｊ）／√２を選択するために使用される。これにより、実施の形態７では、オーバーヘッドを大幅に増大させることなく、複数の送信ポイントからの利得を合成する信号が大幅に改善される。
【００７５】
（実施の形態８）
本開示の実施の形態８によると、ユーザ機器６００は、３つの位相オフセットを４ビットによって報告し、１つの位相オフセットが１ビットによって［１  −１］に量子化され、別の位相オフセットが１ビットによって［ｊ  −ｊ］に量子化され、第３の位相オフセットが１ビットによって［１  −１］または［ｊ  −ｊ］のいずれかに量子化され、どの位相オフセットが［１  −１］に量子化されているかを判定できるように第４のビットが使用される。
【００７６】
具体的には、３つの位相オフセットは、それぞれΦ１、Φ２、およびΦ３とする。実施の形態８においては、１つの位相オフセット（例えばΦ１）が１ビットによって［１  −１］に量子化される場合、別の位相オフセット（例えばΦ２またはΦ３）が１ビットによって［ｊ  −ｊ］に量子化され、第３の位相オフセット（例えばΦ３またはΦ２）が１ビットによって［１  −１］または［ｊ  −ｊ］のいずれかに量子化される。これに対して、１つの位相オフセット（例えばΦ２またはΦ３）が１ビットによって［１  −１］に量子化される場合、別の位相オフセット（例えばΦ３またはΦ２）が１ビットによって［ｊ  −ｊ］に量子化され、第３の位相オフセット（例えばΦ１）が１ビットによって［１  −１］または［ｊ  −ｊ］のいずれかに量子化される。他の場合も同様である。
【００７７】
第４のビットは、どの位相オフセットが［１  −１］に量子化されているかを判定できるようにするために使用される。すなわち、利得を合成する信号としてより良好な信号が得られるか応じて、量子化［１  −１］と量子化［ｊ  −ｊ］のどちらの量子化が、どの位相オフセットに用いられているかを判定できるようにするために、第４のビットが使用される。
【００７８】
この実施形態は、実際には、実施の形態４と実施の形態６の組合せであり、したがって簡潔さを目的として、ここではこれ以上詳しく説明しない。
【００７９】
したがって、実施の形態８においては、３つの位相オフセットをフィードバックするために合計で４ビットが使用され、このうち１ビットは第１の位相オフセットを量子化するために使用され、別のビットが第２の位相オフセットを量子化するために使用され、第３のビットが第３の位相オフセットを量子化するために使用され、量子化のコンスタレーション［１  −１］および［ｊ  −ｊ］を選択するために第４のビットが使用される。これにより、実施の形態８では、オーバーヘッドの増大を最小限にしつつ、複数の送信ポイントからの利得を合成する信号が改善される。
【００８０】
（実施の形態９）
本開示の実施の形態９によると、ユーザ機器６００は、３つの位相オフセットを７ビットによって報告し、１つの位相オフセットが２ビットによって［１  ｊ  −１  −ｊ］に量子化され、別の位相オフセットが２ビットによって［１  ｊ  −１  −ｊ］＊（１＋ｊ）／√２に量子化され、第３の位相オフセットが２ビットによって［１  ｊ  −１  −ｊ］または［１  ｊ  −１  −ｊ］＊（１＋ｊ）／√２のいずれかに量子化され、どの位相オフセットが［１  ｊ  −１  −ｊ］に量子化されているかを判定できるように第７のビットが使用される。
【００８１】
具体的には、３つの位相オフセットは、それぞれΦ１、Φ２、およびΦ３とする。実施の形態９においては、１つの位相オフセット（例えばΦ１）が２ビットによって［１  ｊ  −１  −ｊ］に量子化される場合、別の位相オフセット（例えばΦ２またはΦ３）が２ビットによって［１  ｊ  −１  −ｊ］＊（１＋ｊ）／√２に量子化され、第３の位相オフセット（例えばΦ３またはΦ２）が２ビットによって［１  ｊ  −１  −ｊ］または［１  ｊ  −１  −ｊ］＊（１＋ｊ）／√２のいずれかに量子化される。これに対して、１つの位相オフセット（例えばΦ２またはΦ３）が２ビットによって［１  ｊ  −１  −ｊ］に量子化される場合、別の位相オフセット（例えばΦ３またはΦ２）が２ビットによって［１  ｊ  −１  −ｊ］＊（１＋ｊ）／√２に量子化され、第３の位相オフセット（例えばΦ１）が２ビットによって［１  ｊ  −１  −ｊ］または［１  ｊ  −１  −ｊ］＊（１＋ｊ）／√２のいずれかに量子化される。他の場合も同様である。
【００８２】
第７のビットは、どの位相オフセットが［１  ｊ  −１  −ｊ］に量子化されているかを判定できるようにするために使用される。すなわち、利得を合成する信号としてより良好な信号が得られるか応じて、量子化［１  ｊ  −１  −ｊ］と量子化［１  ｊ  −１  −ｊ］＊（１＋ｊ）／√２のどちらの量子化が、どの位相オフセットに用いられているかを判定できるようにするために、第７のビットが使用される。
【００８３】
この実施形態は、実際には、実施の形態５と実施の形態６の組合せであり、したがって簡潔さを目的として、ここではこれ以上詳しく説明しない。
【００８４】
したがって、実施の形態９においては、３つの位相オフセットをフィードバックするために合計で７ビットが使用され、このうち２ビットは第１の位相オフセットを量子化するために使用され、別の２ビットが第２の位相オフセットを量子化するために使用され、さらなる２ビットが第３の位相オフセットを量子化するために使用され、量子化のコンスタレーション［１  ｊ  −１  −ｊ］および［１  ｊ  −１  −ｊ］＊（１＋ｊ）／√２を選択するために第７のビットが使用される。これにより、実施の形態９では、オーバーヘッドを大幅に増大させることなく、複数の送信ポイントからの利得を合成する信号が改善される。
【００８５】
（実施の形態１０）
上記の実施形態１〜実施形態９では、ユーザ機器６００の報告部６０２が、量子化された位相オフセットと、位相オフセットのコンスタレーションとを送信ポイントに報告することについて説明した。本実施の形態では、フィードバックのオーバーヘッドが減少するように、位相オフセットおよび位相オフセットのコンスタレーションを報告する周期が設定される。
【００８６】
本実施形態の一例によると、位相オフセットのコンスタレーションは、位相オフセットの報告よりも少ない頻度で報告される。具体的には、位相オフセットは、ユーザ機器６００の報告部６０２から送信ポイントに、５サブフレームあたり１回の頻度で報告されるのに対して、位相オフセットのコンスタレーションは、２０個のサブフレームあたり１回の頻度で報告される。このような方法では、位相オフセットのコンスタレーションを報告する周期は、位相オフセットを報告する周期よりも長く設定される。したがって、位相オフセットのコンスタレーションを報告するためのオーバーヘッドが減少する。
【００８７】
位相オフセットおよび位相オフセットのコンスタレーションを報告する周期として設定された上記の具体的な値は、本開示の範囲を制限するものではなく、当業者は、通信システムの固有の要件に従って特定の値を設定することができる。
【００８８】
（実施の形態１１）
本開示の実施の形態１１では、通信システムは、複数のセル（送信ポイント）と複数のユーザ機器とを備えている。セルとしては、ユーザ機器にサービスを提供するサービングセルと、サービングセルの隣接セルとが含まれる。ユーザ機器と通信する送信ポイントは、サービングセルまたは隣接セルと考えることができる。
【００８９】
図１３は、本開示の実施の形態１１によるユーザ機器の構成を示した図である。
【００９０】
図１３に示したように、通信システムにおいてサービングセルおよび隣接セルから受信した信号間の位相オフセットを報告するユーザ機器１３００は、測定部１３０３と、量子化部１３０１と、報告部１３０２とを有する。測定部１３０３は、隣接セルのチャネル品質インジケータ（ＣＱＩ）を測定する。量子化部１３０１は、第１の隣接セルのＣＱＩが第２の隣接セルのＣＱＩよりも大幅に高い場合、第１の隣接セルの位相オフセットを、第２の隣接セルの位相オフセットよりも、多くのビットを使用して量子化し、報告部１３０２は、量子化された位相オフセットを送信ポイントに報告する。量子化部１３０１は、第１の隣接セルのＣＱＩと第２の隣接セルのＣＱＩとが互いに近い場合、第１の隣接セルの位相オフセットと第２の隣接セルの位相オフセットとを同数のビットを用いて量子化し、位相オフセットのコンスタレーションを、別のビットを使用して示し、報告部１３０２は、量子化された位相オフセットとコンスタレーションとを送信ポイントに報告する。
【００９１】
すなわち、本実施形態では、各隣接セルの報告されるＣＱＩに基づいて、異なる量子化動作を切り替えることができ、大幅に高いＣＱＩを有する隣接セルについては、その位相オフセットが、より多くのビット（より良好な粒度）を使用して量子化される。
【００９２】
本開示の実施の形態１１によるユーザ機器１３００は、関連するプログラムを実行して様々なデータを処理し、ユーザ機器１３００の各構成部の動作を制御するＣＰＵ（Central Processing Unit）１３１０と、ＣＰＵ１３１０が様々なプロセスおよび制御を実行するうえで要求される様々なプログラムを格納するＲＯＭ（Read Only Memory）１３１３と、プロセスおよび制御の手順の中でＣＰＵ１３１０によって一時的に生成される中間データを格納するＲＡＭ（Random Access Memory）１３１５と、様々なデータをユーザ機器１３００の外側の外部装置との間で入力／出力するＩ／Ｏ部１３１７、のうちの１つまたは複数、をさらに含む。上記の量子化部１３０１、報告部１３０２、測定部１３０３、ＣＰＵ１３１０、ＲＯＭ１３１３、ＲＡＭ１３１５、および／又は、Ｉ／Ｏ部１３１７は、データ／コマンドバス１３２０を介して相互に接続されるそれぞれのポートを有し、互いの間でデータ（信号）を伝送する。
【００９３】
上記各構成部は、本開示の範囲を制限するものではない。本開示の一実施形態によると、上記量子化部１３０１、報告部１３０２および測定部１３０３のうちの任意の機能を、上記ＣＰＵ１３１０、ＲＯＭ１３１３、ＲＡＭ１３１５、Ｉ／Ｏ部１３１７などと組み合わせて、機能的なソフトウェアによって実施することもできる。
【００９４】
これにより、実施の形態１１では、オーバーヘッドの増大を最小限にしつつ、複数の送信ポイントからの利得を合成する信号を改善することができる。
【００９５】
（実施の形態１２）
本開示の実施の形態１２では、測定部１３０３によって測定された第１の隣接セルのＣＱＩが、測定部１３０３によって測定された第２の隣接セルのＣＱＩよりも大幅に高い場合、量子化部１３０１は、第１の隣接セルの位相オフセットを、第２の隣接セルの位相オフセットよりも、多くのビットを用いて量子化し、報告部１３０２は、量子化された位相オフセットを送信ポイントに報告する。具体的には、ユーザ機器１３００は、２つの位相オフセットを３ビットによって報告することができ、この場合、一方の隣接セルの位相オフセットが２ビットによって［１  ｊ  −１  −ｊ］に量子化され、他方の隣接セルの位相オフセットが１ビットによって［１  −１］または［ｊ  −ｊ］に量子化される。
【００９６】
図１４（ａ）および図１４（ｂ）は、位相オフセットの量子化を示した表である。
【００９７】
図１４（ａ）に示すように、水平方向が位相オフセットΦ１を示し、垂直方向が位相オフセットΦ２を示すものとする。実施の形態１２の一例によると、第１の隣接セルのＣＱＩが第２の隣接セルのＣＱＩよりも大幅に高い場合、図１４（ａ）において記号「×」によって示したように、第１の隣接セルの位相オフセットΦ１が２ビットによって［１  ｊ  −１  −ｊ］に量子化され、第２の隣接セルの位相オフセットΦ２が１ビットによって［１  −１］または［ｊ  −ｊ］のいずれかに量子化される。
【００９８】
図１４（ｂ）に示すように、水平方向が位相オフセットΦ１を示し、垂直方向が位相オフセットΦ２を示すものとする。実施の形態１２の別の例によると、第１の隣接セルのＣＱＩが第２の隣接セルのＣＱＩよりも大幅に低いとき、図１４（ｂ）において記号「×」によって示したように、第１の隣接セルの位相オフセットΦ１が１ビットによって［１  −１］または［ｊ  −ｊ］のいずれかに量子化され、第２の隣接セルの位相オフセットΦ２が２ビットによって［１  ｊ  −１  −ｊ］に量子化される。
【００９９】
これにより、実施の形態１２では、オーバーヘッドの増大を最小限にしつつ、複数の送信ポイントからの利得を合成する信号を改善することができる。
【０１００】
（実施の形態１３）
本開示の実施の形態１３では、測定部１３０３によって測定された第１の隣接セルのＣＱＩが、測定部１３０３によって測定された第２の隣接セルのＣＱＩに近い場合、量子化部１３０１は、第１の隣接セルの位相オフセットと、第２の隣接セルの位相オフセットとを、同数のビットを用いて量子化し、位相オフセットのコンスタレーションを、別のビットを使用して示し、報告部１３０２は、量子化された位相オフセットおよびコンスタレーションを送信ポイントに報告する。具体的には、本実施形態の一例によると、ユーザ機器１３００は、２つの位相オフセットを３ビットによって報告することができ、第１の隣接セルの位相オフセットと第２の隣接セルの位相オフセットの両方が［１  −１］または［ｊ  −ｊ］のいずれかに量子化され、位相オフセットそれぞれが１ビットを使用し、コンスタレーション［１  −１］または［ｊ  −ｊ］を選択するために第３のビットが使用される。この例は、図７に示した実施の形態２の動作と同じであり、したがって簡潔さを目的として、ここではこれ以上詳しく説明しない。
【０１０１】
本実施形態の別の例によると、ユーザ機器は、２つの位相オフセットを３ビットによって報告することができ、一方の位相オフセットが１ビットによって［１  −１］に量子化され、他方の位相オフセットが１ビットによって［ｊ  −ｊ］に量子化され、どちらの位相オフセットが［１  −１］に量子化されているかを判定できるように第３のビットが使用される。この例は、図１０に示した実施の形態６の動作と同じであり、したがって簡潔さを目的として、ここではこれ以上詳しく説明しない。
【０１０２】
さらに、測定部１３０３によって測定された第１の隣接セルのＣＱＩが、測定部１３０３によって測定された第２の隣接セルのＣＱＩに近い場合、ユーザ機器１３００の量子化部１３０１は、実施の形態２から実施の形態９の任意の１つを使用することができ、その詳細については簡潔さを目的としてここでは説明しない。
【０１０３】
これにより、実施の形態１３では、オーバーヘッドの増大を最小限にしつつ、複数の送信ポイントからの利得を合成する信号を改善することができる。
【０１０４】
（実施の形態１４）
図１５は、本開示の実施の形態１４による、通信システムにおいてサービングセルおよび隣接セルから受信される信号間の位相オフセットを報告する方法のフローを示す図である。
【０１０５】
図１５に示すように、ステップＳ１５０１において、位相オフセットは、所定数のビットによって量子化される。ステップＳ１５０２において、別のビットを使用して、位相オフセットのコンスタレーションが示される。ステップＳ１５０３において、量子化された位相オフセットおよびコンスタレーションが送信ポイントに報告される。
【０１０６】
本実施形態によると、上記ステップＳ１５０１およびＳ１５０２は量子化部６０１または１３０１によって実行されることができ、上記ステップＳ１５０３は報告部６０２または１３０２によって実行されることができる。
【０１０７】
本実施形態の上記方法は、２つの位相オフセットを３ビットによって報告するステップをさらに有してもよく、位相オフセットの両方が［１  −１］または［ｊ  −ｊ］のいずれかに量子化され、位相オフセットそれぞれが１ビットを使用し、コンスタレーション［１  −１］または［ｊ  −ｊ］を選択するために第３のビットが使用される。
【０１０８】
本実施形態の上記方法は、２つの位相オフセットを５ビットによって報告するステップをさらに有してもよく、位相オフセットの両方が［１  ｊ  −１  −ｊ］または［１  ｊ  −１  −ｊ］＊（１＋ｊ）／√２のいずれかに量子化され、位相オフセットそれぞれが２ビットを使用し、コンスタレーション［１  ｊ  −１  −ｊ］または［１  ｊ  −１  −ｊ］＊（１＋ｊ）／√２を選択するために第５のビットが使用される。
【０１０９】
本実施形態の上記方法は、３つの位相オフセットを４ビットによって報告するステップをさらに有してもよく、３つの位相オフセットすべてが［１  −１］または［ｊ  −ｊ］のいずれかに量子化され、位相オフセットそれぞれが１ビットを使用し、コンスタレーション［１  −１］または［ｊ  −ｊ］を選択するために第４のビットが使用される。
【０１１０】
本実施形態の上記方法は、３つの位相オフセットを７ビットによって報告するステップをさらに有してもよく、３つの位相オフセットすべてが［１  ｊ  −１  −ｊ］または［１  ｊ  −１  −ｊ］＊（１＋ｊ）／√２のいずれかに量子化され、位相オフセットそれぞれが２ビットを使用し、コンスタレーション［１  ｊ  −１  −ｊ］または［１  ｊ  −１  −ｊ］＊（１＋ｊ）／√２を選択するために第７のビットが使用される。
【０１１１】
本実施形態の上記方法は、２つの位相オフセットを３ビットによって報告するステップをさらに有してもよく、一方の位相オフセットが１ビットによって［１  −１］に量子化され、他方の位相オフセットが１ビットによって［ｊ  −ｊ］に量子化され、どちらの位相オフセットが［１  −１］に量子化されているかを判定できるように第３のビットが使用される。
【０１１２】
本実施形態の上記方法は、２つの位相オフセットを５ビットによって報告するステップをさらに有してもよく、一方の位相オフセットが２ビットによって［１  ｊ  −１  −ｊ］に量子化され、他方の位相オフセットが２ビットによって［１  ｊ  −１  −ｊ］＊（１＋ｊ）／√２に量子化され、どちらの位相オフセットが［１  ｊ  −１  −ｊ］に量子化されているかを判定できるように第５のビットが使用される。
【０１１３】
本実施形態の上記方法は、３つの位相オフセットを４ビットによって報告するステップをさらに有してもよく、１つの位相オフセットが１ビットによって［１  −１］に量子化され、別の位相オフセットが１ビットによって［ｊ  −ｊ］に量子化され、第３の位相オフセットが１ビットによって［１  −１］または［ｊ  −ｊ］のいずれかに量子化され、どの位相オフセットが［１  −１］に量子化されているかを判定できるように第４のビットが使用される。
【０１１４】
本実施形態の上記方法は、３つの位相オフセットを７ビットによって報告するステップをさらに有してもよく、１つの位相オフセットが２ビットによって［１  ｊ  −１  −ｊ］に量子化され、別の位相オフセットが２ビットによって［１  ｊ  −１  −ｊ］＊（１＋ｊ）／√２に量子化され、第３の位相オフセットが２ビットによって［１  ｊ  −１  −ｊ］または［１  ｊ  −１  −ｊ］＊（１＋ｊ）／√２のいずれかに量子化され、どの位相オフセットが［１  ｊ  −１  −ｊ］に量子化されているかを判定できるように第７のビットが使用される。
【０１１５】
本実施形態の上記方法は、位相オフセットのコンスタレーションを、位相オフセットの報告よりも少ない頻度で報告するステップ、をさらに有する。
【０１１６】
この実施形態によると、上記ステップは、量子化部６０１，１３０１および／又は報告部６０２，１３０２によって実行することができる。
【０１１７】
これにより、実施の形態１４では、オーバーヘッドの増大を最小限にしつつ、複数の送信ポイントからの利得を合成する信号を改善することができる。
【０１１８】
（実施の形態１５）
図１６は、本開示の実施の形態１５による、通信システムにおいてサービングセルおよび隣接セルから受信される信号間の位相オフセットを報告する方法のフローを示す図である。
【０１１９】
図１６に示すように、ステップＳ１６０１において、隣接セルのチャネル品質インジケータ（ＣＱＩ）が測定される。ステップＳ１６０２において、１つの隣接セルのＣＱＩが別の隣接セルのＣＱＩよりも大幅に高いか否かが判定される。ステップＳ１６０２における判定結果がＹＥＳである場合、すなわち１つの隣接セルのＣＱＩが別の隣接セルのＣＱＩよりも大幅に高いとき、フローはステップＳ１６０３に進み、そうではなくステップＳ１６０２における判定結果がＮＯであるとき、すなわち１つの隣接セルのＣＱＩが別の隣接セルのＣＱＩに近いとき、フローはステップＳ１６０４に進む。
【０１２０】
ステップＳ１６０３において、大幅に高いＣＱＩを有する隣接セルの位相オフセットは、大幅に低いＣＱＩを有する別の隣接セルの位相オフセットよりも、多くのビットを使用することによって量子化される。ステップＳ１６０５において、量子化された位相オフセットは送信ポイントに報告される。
【０１２１】
ステップＳ１６０４において、第１の隣接セルの位相オフセットと第２の隣接セルの位相オフセットとは、同数のビットを使用することによって量子化され、別のビットを使用して位相オフセットのコンスタレーションが示される。ステップＳ１６０６において、量子化された位相オフセットと、位相オフセットのコンスタレーションとは、送信ポイントに報告される。
【０１２２】
本実施形態によると、上記ステップＳ１６０１およびＳ１６０２は測定部１３０３によって実行されることができ、上記ステップＳ１６０２、Ｓ１６０３、およびＳ１６０４は量子化部６０１または１３０１によって実行されることができ、上記ステップＳ１６０５およびＳ１６０６は報告部６０２または１３０２によって実行されることができる。
【０１２３】
本実施形態の上記方法は、２つの位相オフセットを３ビットによって報告するステップをさらに有してもよく、一方の隣接セルの位相オフセットが２ビットによって［１  ｊ  −１  −ｊ］に量子化され、他方の隣接セルの位相オフセットが１ビットによって［１  −１］または［ｊ  −ｊ］に量子化される。
【０１２４】
本実施形態の上記方法は、２つの位相オフセットを３ビットによって報告するステップをさらに有してもよく、位相オフセットの両方が［１  −１］または［ｊ  −ｊ］のいずれかに量子化され、位相オフセットそれぞれが１ビットを使用し、コンスタレーション［１  −１］または［ｊ  −ｊ］を選択するために第３のビットが使用される。
【０１２５】
本実施形態の上記方法は、２つの位相オフセットを３ビットによって報告するステップをさらに有してもよく、一方の位相オフセットが１ビットによって［１  −１］に量子化され、他方の位相オフセットが１ビットによって［ｊ  −ｊ］に量子化され、どちらの位相オフセットが［１  −１］に量子化されているかを判定できるように第３のビットが使用される。
【０１２６】
本実施形態によると、上記ステップは、それぞれ、量子化部６０１，１３０１、報告部６０２，１３０２、および測定部１３０３によって実行されることができる。
【０１２７】
これにより、実施の形態１５では、オーバーヘッドの増大を最小限にしつつ、複数の送信ポイントからの利得を合成する信号を改善することができる。
【０１２８】
（実施の形態１６）
本開示の実施の形態１６によると、通信システムは、複数のセル（送信ポイント装置）と複数のユーザ機器とを備えている。セルとしては、ユーザ機器にサービスを提供するサービングセルと、サービングセルの隣接セルとが含まれる。ユーザ機器と通信する送信ポイント（装置）は、サービングセルまたは隣接セルと考えることができる。
【０１２９】
図１７は、本開示の実施の形態１６による送信ポイント装置の構成を示した図である。
【０１３０】
図１７に示すように、送信ポイント装置１７００は、受信部１７０１およびプリコーディング部１７０２を有する。受信部１７０１は、ユーザ機器から報告される情報を受信する。この情報は、その送信ポイント装置および隣接する送信ポイント装置からユーザ機器に送信された信号間の位相オフセットと、位相オフセットのコンスタレーションとを含み、位相オフセットは所定数のビットを使用することによって量子化され、コンスタレーションは別のビットによって示される。プリコーディング部１７０２は、量子化された位相オフセットおよびコンスタレーションを用いて、ユーザ機器に送信される信号をプリコーディングする。
【０１３１】
本開示の実施の形態１６による送信ポイント装置１７００は、関連するプログラムを実行して様々なデータを処理し、送信ポイント装置１７００の各構成部の動作を制御するＣＰＵ（Central Processing Unit）１７１０と、ＣＰＵ１７１０が様々なプロセスおよび制御を実行するうえで要求される様々なプログラムを格納するＲＯＭ（Read Only Memory）１７１３と、プロセスおよび制御の手順の中でＣＰＵ１７１０によって一時的に生成される中間データを格納するＲＡＭ（Random Access Memory）１７１５と、様々まなデータを送信ポイント装置１７００の外側の外部装置との間で入力／出力するＩ／Ｏ部１７１７、のうちの１つまたは複数、をさらに含む。上記受信部１７０１、プリコーディング部１７０２、ＣＰＵ１７１０、ＲＯＭ１７１３、ＲＡＭ１７１５、および／又は、Ｉ／Ｏ部１７１７は、データ／コマンドバス１７２０を介して相互に接続されるそれぞれのポートを有し、互いの間でデータ（信号）を伝送する。
【０１３２】
上記各構成部は、本開示の範囲を制限するものではない。本開示の一実施形態によると、上記受信部１７０１およびプリコーディング部１７０２のうちの任意の機能を、上記のＣＰＵ１７１０、ＲＯＭ１７１３、ＲＡＭ１７１５、Ｉ／Ｏ部１７１７などと組み合わせて、機能的なソフトウェアによって実施することもできる。
【０１３３】
これにより、実施の形態１６では、オーバーヘッドの増大を最小限にしつつ、複数の送信ポイント装置からの利得を合成する信号を改善することができる。
【０１３４】
上述した各実施形態１〜１５は、この実施の形態１６と組み合わせて使用することができ、その詳細については簡潔さを目的としてここでは説明しない。
【０１３５】
（実施の形態１７）
本開示の実施の形態１７によると、受信部１７０１は、ユーザ機器から報告される情報を受信する。この情報は、送信ポイント装置１７００および隣接する送信ポイント装置からユーザ機器に送信された信号間の位相オフセットを含む。実施の形態１７の一例において、第１の隣接する送信ポイント装置のＣＱＩ（ユーザ機器側で測定および計算されるチャネル品質インジケータ）が、第２の隣接する送信ポイント装置のＣＱＩよりも大幅に高い場合、ユーザ機器側において、第１の隣接する送信ポイント装置の位相オフセットが、第２の隣接する送信ポイント装置の位相オフセットよりも、多くのビットを用いて量子化されている。プリコーディング部１７０２は、量子化された位相オフセットを用いて、ユーザ機器に送信される信号をプリコーディングする。
【０１３６】
実施の形態１７の別の例においては、ユーザ機器側で測定された第１および第２の隣接する送信ポイント装置のＣＱＩが互いに近い場合、ユーザ機器側において、第１の隣接する送信ポイント装置の位相オフセットと第２の隣接する送信ポイント装置の位相オフセットとが、同数のビットを用いて量子化されており、位相オフセットのコンスタレーションが別のビットを使用して示されている。プリコーディング部１７０２は、量子化された位相オフセットとコンスタレーションとを用いて、ユーザ機器に送信される信号をプリコーディングする。
【０１３７】
この実施形態においては、各隣接セルの報告されるＣＱＩに基づいて、位相オフセットの量子化動作を切り替えることができ、大幅に高いＣＱＩを有する隣接セルについては、その位相オフセットが、より多くのビット（より良好な粒度）を使用して量子化される。一方、類似するＣＱＩを有する隣接セルについては、それらの位相オフセットが同数のビットを使用して量子化され、位相オフセットのコンスタレーションが別のビットを使用して示される。
【０１３８】
上記各構成部は、本開示の範囲を制限するものではない。本開示の一実施形態によると、上記受信部１７０１およびプリコーディング部１７０２のうちの任意の機能を、上記ＣＰＵ１７１０、ＲＯＭ１７１３、ＲＡＭ１７１５、および／又は、Ｉ／Ｏ部１７１７などと組み合わせて、機能的なソフトウェアによって実施することもできる。
【０１３９】
これにより、実施の形態１７では、オーバーヘッドの増大を最小限にしつつ、複数の送信ポイントからの利得を合成する信号を改善することができる。
【０１４０】
上述した各実施形態１〜１５は、この実施の形態１７と組み合わせて使用することができ、その詳細については簡潔さを目的としてここでは説明しない。
【０１４１】
本開示の上記の実施形態は、例示的な説明にすぎず、それぞれの具体的な構造および動作は本開示の範囲を制限するものではない。当業者は、上記の各実施形態におけるさまざまな部分および動作を組み合わせることで、本開示の発想に同様に合致する新たな実施形態を創案することができる。
【０１４２】
本開示の実施形態は、ハードウェア、ソフトウェア、またはファームウェアによって、またはこれらの組合せにおいて実施することができ、その実施方法は本開示の範囲を制限するものではない。
【０１４３】
本開示の実施形態における各機能要素（構成部）の間の接続関係は、本開示の範囲を制限するものではなく、１つまたは複数の機能要素または構成部が任意の他の機能要素を含んでいる、または任意の他の機能要素に接続されていることができる。
【０１４４】
ここまで、本開示のいくつかの実施形態について、添付の図面と組み合わせて図示および説明してきたが、当業者には、これらの実施形態に基づいて、本開示の特許請求の範囲およびその等価物の範囲に依然として含まれる変形形態および修正形態を、本開示の原理および概念から逸脱することなく創案できることが理解されるであろう。
【図１】
0005747123.tif 000002
【図２】
0005747123.tif 000003
【図３】
0005747123.tif 000004
【図４】
0005747123.tif 000005
【図６】
0005747123.tif 000006
【図７】
0005747123.tif 000007
【図８】
0005747123.tif 000008
【図９】
0005747123.tif 000009
【図１０】
0005747123.tif 000010
【図１１】
0005747123.tif 000011
【図１２】
0005747123.tif 000012
【図１３】
0005747123.tif 000013
【図１４】
0005747123.tif 000014
【図１５】
0005747123.tif 000015
【図１６】
0005747123.tif 000016
【図１７】
0005747123.tif 000017
【図５】
0005747123.tif 000018